(57)【要約】【課題】  正しいコピーを簡単に得ることができるとともに、操作が簡単な画像形成装置を提供する。【解決手段】  画像形成装置においては、複数の原稿について、予め、その載置方向およびその載置方向での複写枚数、およびその部数を設定する（Ｓ１１）。原稿が載置されると、その設定に応じて画像が形成され（Ｓ１２，Ｓ１３）、設定された部数のコピーが終了するまでは、画像読み取り部の原稿カバーが開閉されても、画像形成が続行される（Ｓ１４、Ｓ１５）。【選択図】      図３
2006067126.tif 000002
【特許請求の範囲】
【請求項１】
複数の原稿について、予め、その載置方向およびその載置方向での複写枚数を設定する原稿設定手段と、
前記原稿設定手段の設定に応じて、画像を形成する画像形成手段とを含み、
前記原稿設定手段は、最初の原稿の載置方向および次に載置方向が変更される原稿の向きおよびその場合の頁数を設定する原稿頁数設定手段を含む、画像形成装置。
【請求項２】
複数の原稿について、予め、その載置方向およびその載置方向での複写枚数を設定する原稿設定手段と、
前記原稿設定手段の設定に応じて、画像を形成する画像形成手段とを含み、
前記原稿設定手段は、基準となる最初の原稿の載置方向および次に載置方向が変更される原稿の頁数のみを設定する原稿頁数設定手段を含む、画像形成装置。
【請求項３】
さらに、複写部数を設定する複写部数設定手段と、前記原稿を載置するための載置部、および前記載置部を覆う原稿カバーを含み、
前記複写部数設定手段で設定された複写枚数の複写が完了するまでは、前記原稿カバーが開閉されても、前記原稿設定手段によって設定された設定はクリアされないよう制御する、制御手段とを含む、請求項１または２に記載の画像形成装置。
【発明の詳細な説明】
【技術分野】
【０００１】
この発明は、画像形成装置に関し、特に、ユーザにとって使い易い、画像形成装置に関する。
【背景技術】
【０００２】
正しいコピーを簡単に得ることのできる、複写機のような画像形成装置がたとえば、特開平９−２５８６１２号公報（特許文献１）に記載されている。
【０００３】
同公報によれば、操作部に、画像形成を行なうのに必要なコピーモード等の情報を入力する手段の他に、読取り位置にセットする原稿が、縦向き原稿か、横向き原稿かを指示する原稿方向入力手段が設けられている。
【特許文献１】特開平９−２５８６１２号公報（段落番号０００５等）
【発明の開示】
【発明が解決しようとする課題】
【０００４】
従来の、正しいコピーを簡単に得ることのできる画像形成装置は、上記のように構成されていた。操作部にて、読取る原稿のページごとに、読取る原稿の向きを設定する必要があるため、操作が煩雑である、という問題があった。
【０００５】
この発明は、上記のような問題点に着目してなされたもので、正しいコピーを簡単に得ることができるとともに、操作が簡単な画像形成装置を提供することを目的とする。
【課題を解決するための手段】
【０００６】
この発明に係る、画像形成装置は、複数の原稿について、予め、その載置方向およびその載置方向での複写枚数を設定する原稿設定手段と、原稿設定手段の設定に応じて、画像を形成する画像形成手段とを含み、原稿設定手段は、最初の原稿の載置方向および次に載置方向が変更される原稿の向きおよびその場合の頁数を設定する原稿頁数設定手段を含む。
【０００７】
この発明の他の局面においては、画像形成装置は、複数の原稿について、予め、その載置方向およびその載置方向での複写枚数を設定する原稿設定手段と、原稿設定手段の設定に応じて、画像を形成する画像形成手段とを含み、原稿設定手段は、最初の原稿の載置方向および次に載置方向が変更される原稿の頁数のみを設定する原稿頁数設定手段を含む。
【０００８】
好ましくは、複写部数を設定する複写部数設定手段と、原稿を載置するための載置部、および載置部を覆う原稿カバーを含み、複写部数設定手段で設定された複写枚数の複写が完了するまでは、原稿カバーが開閉されても、原稿設定手段によって設定された設定はクリアは作動されないよう制御する、制御手段とを含む。
【発明の効果】
【０００９】
この発明においては、複数の原稿について、予め、その載置方向およびその載置方向での複写枚数、または、次に載置方向が変更される原稿の頁数を設定し、その設定に応じて、画像を形成するため、従来のように、読取る原稿のページごとに、読取る原稿の向きを設定する必要がない。
【００１０】
その結果、画像の正しいコピーを簡単に得ることができるとともに、操作が簡単な画像形成装置を提供できる。
【発明を実施するための最良の形態】
【００１１】
以下、この発明の実施の形態を図面を参照して説明する。図１はこの発明の一実施の形態を、複写機やスキャナのような、画像形成装置に適応した場合の構成を示すブロック図である。
【００１２】
図１を参照して、画像形成装置１０は画像形成装置１０全体を制御する制御部１１と、ＤＲＡＭ１２と、ネットワーク４０と接続するためのネットワークＩＦ（インタフェース）部１４と、画像形成手段としても作動する、印字部１５と、ＨＤ（ハードディスク）１６と、画像読み取り部１７と、原稿設定手段、原稿頁数設定手段および複写部数設定手段としても作動する、操作部１８とを含む。
【００１３】
画像読み取り部１７は光電変換素子の一例のＣＣＤ（図示せず）を備えており、原稿の画像データを読み取ることができる。原稿読み取り部１７には、図示のない原稿カバーが設けられ、この原稿カバーを開閉して、原稿読み取り部１７に原稿をセットする。
【００１４】
なお、通常は、この原稿カバーを開閉すると、オートクリアされ、画像形成装置１０の設定は、デフォルト値に戻る。
【００１５】
図２は操作部１８の詳細を示す図である。図２を参照して、操作部１８は、入力部１９と表示部２０とを含み、入力部１９は、コピースタートを指示するコピーキー１９１と、実行中の処理を全面的に解除するための中止キー１９２と、割り込みの実行・解除を指示するための割り込みキー１９３と、コピー枚数などを指示するテンキー１９４と、各種情報を設定するための設定キー１９５などを含む。
【００１６】
表示部２０は液晶パネルにより構成されており、画像形成装置１０からユーザへの情報を表示できるようになっている。この液晶パネルはタッチパネルであり、「スキャナ」および「コピー」の各機能を選択する入力部１９の一部としても機能する。
【００１７】
制御部１１は、画像読み取り部１７から与えられるデータをＤＲＡＭ１２に圧縮符号化して書き込み、ＤＲＡＭ１２に書き込んだデータを読み出し、伸張復号化して出力する。また、制御部１１は、印字部１５による印字のための制御と、画像読み取り部１７にセットされた原稿の画像を読み取るための制御と、操作部１８の入力部１９からのデータを入力するための制御と、操作部１８の表示部２０にデータを表示するための制御などを行う。
【００１８】
ネットワーク４０には、画像形成装置１０にアクセス可能な複数のパソコン等の端末が接続されていてもよい。
【００１９】
なお、図１において太線の矢印は画像データの流れを示しており、細線の矢印は制御信号または制御データの流れを示している。
【００２０】
次に、画像形成装置１０の動作について説明する。図３は、画像形成装置１０の動作を示すフローチャートである。この実施の形態においては、画像読取装置１０は、操作部１８において、コピー部数や、サイズの設定等の複写パラメータの設定、および原稿の載置方向の設定が可能である。
【００２１】
図３を参照して、まず、原稿を画像読み取り部１７にセットし、原稿の載置方向の設定および、上記した複写パラメータの設定を行なう（ステップＳ１１、以下、ステップを省略する）。この原稿載置方向の設定の詳細については、後述する。
【００２２】
次いで、原稿載置方向の一致した原稿を画像読み取り部１７に載置して、コピーを開始する（Ｓ１２）。ステップ１１での設定にしたがって画像が形成され（Ｓ１３）、設定された部数の原稿がコピーされると終了する（Ｓ１４でＹＥＳ）。
【００２３】
Ｓ１４で設定された部数のコピーが終了するまでは（Ｓ１４でＮＯ）、そのジョブのキャンセルが無い限り、原稿の載置方向が異なる原稿を載置するために、原稿カバーが開閉されても、オートクリアされることなく、画像の形成が続行される（Ｓ１５でＮＯ、Ｓ１３）。なお、ここで、オートクリアとは、上記したように、原稿の複写開始後、所定時間の経過後に所定のデフォルト値に設定を戻す動作をいう。
【００２４】
なお、ここでは、予め設定されているように、原稿の向きを変更するときに、原稿カバーを開けて原稿を載置し直す例について説明したが、これに限らず、異なる向きの原稿を複数、原稿読み取り部１７に載置して、設定に応じて、自動的に、載置方向を判定して複写するようにしてもよい。
【００２５】
なお、原稿サイズおよび複写用紙の選択は、画像形成装置１０が自動で判別するものとする。
【００２６】
次に、Ｓ１１で示した、原稿の載置方向の設定方法を説明する。図４は、操作部１８によって、原稿載置方向を設定した場合の、表示部２０への画面表示例を示す図である。原稿の載置方向としては、一般に、画像読み取り部１７に原稿を載置したとき、原稿の奥側が上となる「奥天」と、左側が上となる「左天」とが存在する。
【００２７】
図４は、原稿載置方向を、「表」と「逆」および、そのように原稿の向きを変えるときの頁番号を示す場合の例である。ここで、「表」とは、「奥天」を示し、「逆」とは「左天」を示す。したがって、この例では、原稿の１頁目から４枚目、および８枚目を「奥天」で読取り、５枚目から７枚目まで、および９枚目を「左天」で読取る場合である。
【００２８】
入力を行なう場合、操作部１８の表示部２０において、「原稿載置方向設定」ボタンが表示される。このボタンを押すと、「原稿の第１頁目は「奥天」ですか、「左天」ですか」、という問い合せが表示される。ここで、「奥天」を選択すると、図４の左端に示すように、１枚目を示す「１」と、「奥天」を示す「表」という表示が行なわれる。ユーザは、次に、原稿の載置方向を変える頁数、すなわち、「左天」に変更する頁数を入力する。ここで、「逆」という表示は、自動的に行なわれる。この例では、５頁目で変更されるから、「５」を入力する。同様に、次に載置方向を変える頁数を入力し、さらなる変更頁数があれば、その頁数を入力する。
【００２９】
次に、原稿載置方向の入力方法の他の実施の形態について説明する。図５は、原稿載置方向の入力方法の他の例を示す図である。図５を参照して、この実施の形態においては、原稿の載置方向が変更される頁数のみを入力する。すなわち、この例では、１枚目を基準として、３枚目、４枚目、６枚目、・・・で原稿の向きが異なる。この場合、１頁目の原稿の向きは、別に、「表」か、または「逆」に設定しておく。この場合も、先の実施の形態と同様に、ユーザは、画像読取装置の表示部２０によって、ガイドされるものとする。
【００３０】
以上のように、この実施の形態によれば、予め、原稿の向きと、その向きが変更される向きおよび頁数、または、原稿の載置方向が変更される頁数のみを設定できるため、簡単な構成で、所望の向きのコピーを得ることができる。
【００３１】
なお、上記実施の形態においては、原稿の向きと、その向きが変更されるまでの頁数とを入力する場合について説明したが、これに限らず、最初の原稿の向きは設定するが、それ以降については、原稿の所定の位置に何らのマークを設け、画像形成装置がそのマークを検出したときに、原稿の載置方向の変更を検出するようにしてもよい。
【００３２】
また、上記実施の形態においては、原稿の向きおよびその頁数を予め設定できる場合について説明したが、これに限らず、出力用紙サイズについても、同様に、予め設定できるようにしてもよい。
【００３３】
また、上記実施の形態においては、原稿の載置方向として、「奥天」と「左天」の２つの場合を例にあげて説明したが、これに限らず、「右天」や「手前側天」も含めた４方向について設定できるようにしてもよい。
【００３４】
図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３５】
【図１】複写機の構成を示すブロック図である。
【図２】操作部を示す図である。
【図３】この発明の一実施の形態にかかる複写機の動作を示すフローチャートである。
【図４】原稿載置方向の設定方法を示す図である。
【図５】原稿載置方向の設定方法を示す図である。
【符号の説明】
【００３６】
１０  複写機、１１  制御部、１２  ＤＲＡＭ、１５  印字部、１６  ハードディスク、１７  画像読取り部、１８  操作部、２０  表示部。
【図１】
2006067126.tif 000003
【図２】
2006067126.tif 000004
【図３】
2006067126.tif 000005
【図４】
2006067126.tif 000006
【図５】
2006067126.tif 000007